(57)【要約】【課題】使用しないときは邪魔にならないように仕舞うことができるペンタブレットを提供する。【解決手段】  スタイラスペン（２）で指示された位置に応じた信号をコンピュータ（３）に入力させるペンタブレット（１）が、スタイラスペン（２）の位置を検知するセンシングボード（５）と、これを引出可能に収納すると共にその上面にノート型コンピュータ（３）又はキーボードなどの電子機器を載置するベースプレートとなる収納カバー（６）を備えた。【選択図】図１
0003134750.tif 000002
【実用新案登録請求の範囲】
【請求項１】
スタイラスペンで指示された位置に応じた信号をコンピュータに入力させるペンタブレットであって、
スタイラスペンの位置を検知するセンシングボードと、これを引出可能に収納すると共にその上面にノート型コンピュータ又はキーボードなどの電子機器を載置するベースプレートとなる収納カバーとを備えたことを特徴とするペンタブレット。
【請求項２】
前記収納カバーの底面に滑り止めのストッパが設けられると共に、その正面側を持ち上げるように傾けた状態でストッパを浮かせたときに荷重がかかる部分に、前後方向に回転するローラ又は滑動部材が設けられて成る請求項１記載のペンタブレット。
【請求項３】
前記収納カバーが手前又は左右片側に開口部を有するボックス型に形成され、該開口部からセンシングボードが引出可能に配されてなる請求項１記載のペンタブレット。
【請求項４】
センシングボードと収納カバーが収納カバー内で有線接続されてなる請求項３記載のペンタブレット。
【考案の詳細な説明】
【技術分野】
【０００１】
本考案は、スタイラスペンで指示された位置に応じた信号をコンピュータに入力させるためのペンタブレットに関するものである。
【背景技術】
【０００２】
ペンタブレットは、コンピュータの入力機器（キーボードやマウス）の一種であり、スタイラスペンと、その先端で指し示した入力エリア上のＸＹ座標を読み取るセンシングボードからなる。
そして、読み取った座標値に対応するディスプレイ上の位置にポインタを移動させることによりマウスと同様に使用することができるだけでなく、ドローイングソフトを用いることにより紙にペンで描く感覚でフリーハンドで、イラストや文字を入力することができるため、人に優しいヒューマンインターフェイスとして普及している。
【０００３】
ところで、市販のセンシングボードは通常入力エリアがＡ６判程度からＡ３判程度まで様々な大きさのものがあるが、ノート型コンピュータを操作する一般的なユーザは、そのコンピュータよりも小型のペンタブレットを使用することが多い。
そして、ペンタブレットを使用するときはコンピュータの右側あるいは手前側にペンタブレットを並べて作業を行っているが、机上のスペースはかぎられているためペンタブレットを使用しない場合にはこれをどこかへ片付けて、ペンタブレットが邪魔にならないようにどちらかに寄せて、スペースを確保しなければならない。
【０００４】
しかしながら、ペンタブレットのセンシングボードは薄くできており、しかもその底面には操作中に位置ずれしないようにシリコンゴムなどからなる滑り止めが設けられているので、持ち上げにくいだけでなく、ずらして移動しようとしても滑りにくいという問題があった。
また、そのまま置いたのでは面積をとるため、本のように立てかけておくことも考えられるが、センシングボードの向正面からＵＳＢコードが延びているため、向正面を前後上下のどちらに向けてもコードが邪魔になって立てかけにくいという問題もある。
【０００５】
このため、ペンタブレットを一体に設けたノート型コンピュータが提案されている。これによれば、ペンタブレットを使用しないときは邪魔にならないようにコンピュータの底面に収納できるようになっており、必要に応じて手前又は側方へ引き出して使用することができる。
【特許文献１】特開平７−２９５６８０号公報
【特許文献２】特開平８−２２１１５２号公報
【０００６】
しかしながら、ペンタブレットなどのようなアクセサリー（コンピュータ付属機器）は技術の進歩が著しく、予めコンピュータに取り付けておくと、新商品が発売されたときにその部分だけ交換することができない。
また、ペンタブレットは誰もが使用するものではないので、この種のアクセサリーを一体に設けることは、価格競争の厳しいコンピュータのコストを上昇させ、買い控えを起こさせるため、現実問題としては、ペンタブレット一体型のノート型コンピュータは商品化されていない。
したがって、ペンタブレットをコンピュータと一体には設けることはできず、ＵＳＢケーブルなどでコンピュータに接続する外部機器として使用せざるを得ないため、仕舞っておくときに邪魔になるという問題が残る。
【考案の開示】
【考案が解決しようとする課題】
【０００７】
そこで本考案は、使用しないときは邪魔にならないように仕舞うことができるペンタブレットを提供することを技術的課題としている。
【課題を解決するための手段】
【０００８】
この課題を解決するため、請求項１の考案は、スタイラスペンで指示された位置に応じた信号をコンピュータに入力させるペンタブレットであって、スタイラスペンの位置を検知するセンシングボードと、これを引出可能に収納すると共にその上面にノート型コンピュータ又はキーボードなどの電子機器を載置するベースプレートとなる収納カバーとを備えたことを特徴としている。
請求項２の考案は、収納カバーの底面に滑り止めのストッパが設けられると共に、その正面側を持ち上げるように傾けた状態でストッパを浮かせたときに荷重がかかる部分に、前後方向に回転するローラ又は滑動部材が設けられている。
請求項３の考案は、収納カバーが手前又は左右片側に開口部を有するボックス型に形成され、該開口部からセンシングボードが引出可能に配されてなる。
請求項４の考案は、センシングボードと収納カバーが収納カバー内で有線接続されてなる。
【考案の効果】
【０００９】
本考案によれば、ペンタブレットの収納カバーがコンピュータのベースプレートとして機能するので、収納カバーの上にノート型コンピュータを載置した状態でコンピュータ操作を行うことができる。
そして、収納カバーからセンシングボードを引き出せばコンピュータの隣にセンシングボードを置いた状態でペンタブレットを使用することができる。
また、使用しないときはセンシングボードを収納カバー内に入れれば、コンピュータの真下に収納されることになるので、ペンタブレットとコンピュータが重なり、センシングボードが邪魔になることもない。
さらに、収納カバーの上にノート型コンピュータを載置して使用する場合は、ペンタブレットとコンピュータを接続する信号線も最短長さで足りるだけでなく、短くて済むのでその信号線が邪魔になることがない。
【００１０】
ここで、請求項２のように、収納カバーの正面側を持ち上げるように傾けた状態でストッパを浮かせたときに荷重がかかる部分、例えば、背面側端縁に沿って前後方向に回転するローラ又は滑動部材を設けておけば、ペンタブレットを机上に置いた状態ではストッパが利くので激しいコンピュータ操作をしても位置ずれすることはない。
また、請求項３のように、収納カバーが、開口部を有するボックス型に形成されていれば、その開口部に収納カバーを出し入れすることができる。
さらに、請求項４のように、センシングボードと収納カバーが収納カバー内で有線接続されていれば、収納時及び使用時とも信号線が外部に露出されることがないので、信号線が邪魔にならない。
【考案を実施するための最良の形態】
【００１１】
本例では、使用しないときは邪魔にならないように仕舞えるペンタブレットを提供するという目的を達成するために、タイラスペンで指示された位置に応じた信号をコンピュータに出力するペンタブレットであって、スタイラスペンの位置を検知するセンシングボードと、これを引出可能に収納する収納カバーとを備え、当該収納カバーの上面にノート型コンピュータ又はキーボードなどの電子機器を載置できるようにベースプレート状に形成した。
【００１２】
図１は本考案に係るペンタブレットの一例を示す上面側斜視図、図２はその底面側斜視図、図３は使用状態を示す側面図、図４は収納カバーの内部を示す説明図、図５は他の実施形態を示す説明図である。
【実施例１】
【００１３】
図１〜図４に示すペンタブレット１は、スタイラスペン２で指示された位置に応じた信号をコンピュータ３に出力するもので、スタイラスペン２の位置を検知する入力エリア４を備えたセンシングボード５と、これを引出可能に収納する収納カバー６とを備えている。
【００１４】
収納カバー６は、手前に開口部７を有するボックス型に形成されると共に、その上面にノート型コンピュータ３又はキーボードなどの電子機器を載置することができるようにベースプレートとして形成されている。
また、収納カバー６の底面にはその四隅に滑り止めのストッパ８が設けられると共に、正面側を持ち上げるように傾けた状態でストッパ８を浮かせたときに荷重がかかる背面下端部分に滑動部材９が取り付けられている。
【００１５】
開口部７内部にはセンシングボード５の収納空間１０が形成されており、センシングボード５の背面側及び収納空間１０の奥手には、ＵＳＢコネクタ１１，１２が形成され、その間がＵＳＢケーブル１３で有線接続されている。
また、前記ＵＳＢコネクタ１１，１２は夫々センシングボード５及び収納空間１０から突出して形成され、センシングボード５を収納空間１０内に押し込んだ状態で、その奥に余剰スペース１０ａができるようになっている。
これにより、センシングボード５を収納した状態で、ＵＳＢケーブル１３が余剰スペース１０ａに納まり、邪魔になることもない。
【００１６】
さらに、収納カバー６には、センシングボード５から出力された信号をコンピュータ３に伝送するＵＳＢケーブル１４が接続されている。
したがって、収納カバー６の上面にノート型コンピュータ３を載置する場合は、そのＵＳＢケーブル１４は十数センチの長さもあれば足り、ＵＳＢケーブル１４が邪魔になることがない。
【００１７】
センシングボード５には、その正面側先端にスタイラスペン２を置いておくペンホルダー兼用の引出取手１５が取り付けられている。
【００１８】
滑動部材９は、球形又は円柱形のテフロン（デュポン社の登録商標）などフッ素樹脂製ポインタが用いられており、本例では図２に示すように円柱形のポインタの外周面が机上面に接するように取り付けられている。
その高さは、収納カバー６を机上に水平に置いたときには机上面に触れないように、ストッパ８の高さより低く形成されており、これにより、ペンタブレット１の収納カバー６が机の上に水平に置かれていればストッパ８…が机上面に接地するので、その上に載置されたコンピュータ３のキーボードを激しく操作しても収納カバー６が机上面ですべることがない。
また、正面側を持ち上げるように傾ければ、ストッパ８が浮き上がって背面側の滑動部材９のみが机上面に接するので、ペンタブレット１を机上面で滑らすことによりコンピュータ３を簡単に前後に移動させることができる。
【００１９】
以上が本考案の一構成例であって、次にその作用について説明する。
ペンタブレット１の上面にノート型コンピュータ３を載置し、両者をＵＳＢケーブル１４で接続しておき、これを使用しないときは机上面中央部にスペースを空けるため、机上面奥手に寄せておけばよい（図３（ａ）参照）。
コンピュータ３を使用するときは、引出取手１５を持ってペンタブレット１の正面側を持ち上げるように全体を傾ければ、底面に設けたストッパ８が浮き上がって背面側の滑動部材９のみが机上面に接するので、ペンタブレット１を簡単に滑らすことができ（図３（ｂ）参照）、その結果、コンピュータ３を簡単に手前側に寄せることができる（図３（ｃ）参照）。
【００２０】
次いで、ペンタブレット１を使用するときは、引出取手１５を持って水平を維持したままセンシングボード５を手前に引き出せば、収納カバー６はストッパ８が利いて滑らず、センシングボード５のみが開口部７から引き出される（図３（ｄ）参照）。
したがって、この状態でセンシングボード５の入力エリア４上でスタイラスペン２を移動させると、スタイラスペン２で指示した位置に応じた座標データ信号がコンピュータに出力され、マウスと同様に使用することができるだけでなく、ドローイングソフトなどを用いることにより紙にペンで描く感覚でフリーハンドでイラストや文字を入力することができる。
【００２１】
このとき、センシングボード５と収納カバー６を接続するＵＳＢケーブル１３は、収納空間１０内に配されており、外部に露出されないので邪魔になることがない。
また、ペンタブレット１とその上に載置されるコンピュータ３を接続するＵＳＢケーブル１４もせいぜい十数センチあれば足りるので邪魔になることがない。
【００２２】
なお、センシングボード５は、図５に示すペンタブレット２１のように、収納カバー６の左右片側（本例では右側）へ引き出されるように収納されていてもよい。
また、センシングボード５は、収納カバー６にスライド可能に支持されて引き出される場合に限らず、水平方向に回転可能に支持しておき回転しながら引き出すようにしても良い。
【産業上の利用可能性】
【００２３】
本考案は、スタイラスペンで指示した位置に応じた座標データ信号をコンピュータに入力するペンタブレットの用途に適用できる。
【図面の簡単な説明】
【００２４】
【図１】本考案に係るペンタブレットの一例を示す上面側斜視図。
【図２】その底面側斜視図。
【図３】使用状態を示す側面図。
【図４】収納カバーの内部を示す説明図。
【図５】他の実施形態を示す説明図。
【符号の説明】
【００２５】
１  ペンタブレット
２  スタイラスペン
３  コンピュータ
４  入力エリア
５  センシングボード
６  収納カバー
７  開口部
８  ストッパ
９  滑動部材
【図１】
0003134750.tif 000003
【図２】
0003134750.tif 000004
【図３】
0003134750.tif 000005
【図４】
0003134750.tif 000006
【図５】
0003134750.tif 000007